(57)【要約】【課題】金属筐体を有する携帯端末の持ち方にかかわらず受信感度を改善できること。【解決手段】携帯端末の筐体に設けられる金属筐体１０５を異なる複数箇所で接地するＧＮＤ接点と、筐体の手持ち時の各持ち方別に対応して、ＧＮＤ接点に設けたスイッチＳＷ１〜ＳＷ４を切り替え制御するＣＰＵ１０１と、を備える。また、筐体の複数の向きを検出する傾き検出部１０３と、筐体の手持ち時の各持ち方別に対応した筐体の複数の向き毎の受信特性が良好な複数のＧＮＤ接点のスイッチの切り替え状態が設定されたＳＷテーブル１１１と、を有し、ＣＰＵ１０１は、携帯端末の実使用時に、ＳＷテーブル１１１を参照し、検出された筐体の向きに対応するＧＮＤ接点を接地する。【選択図】図１
2019029705.tif 000002
【特許請求の範囲】
【請求項１】
携帯端末の筐体に設けられる金属筐体を異なる複数箇所で接地するＧＮＤ接点と、
前記筐体の手持ち時の各持ち方別に対応して、前記ＧＮＤ接点に設けたスイッチを切り替え制御する制御部と、
を備えたことを特徴とする受信感度制御装置。
【請求項２】
前記筐体の複数の向きを検出する傾き検出部と、
前記筐体の手持ち時の各持ち方別に対応した前記筐体の複数の前記向き毎の受信特性が良好な複数の前記ＧＮＤ接点のスイッチの切り替え状態が設定されたＳＷテーブルと、を有し、
前記制御部は、
前記携帯端末の実使用時に、前記ＳＷテーブルを参照し、検出された前記筐体の向きに対応するＧＮＤ接点を接地することを特徴とする請求項１に記載の受信感度制御装置。
【請求項３】
前記ＳＷテーブルは、互いに近接する複数の前記ＧＮＤ接点を一つのグループに分けた複数のグループ設定を含み、
前記制御部は、
前記携帯端末の実使用時に、検出された受信特性が所定レンジを超えて変化した場合には、前記ＳＷテーブルを参照し、検出された前記筐体の向きのグループ設定を読み出し、当該グループ設定内の複数の前記ＧＮＤ接点のスイッチを順次切り替え接地させて、受信特性が良好なスイッチの切り替え状態で前記ＧＮＤ接点を接地させるチューニングを行うことを特徴とする請求項２に記載の受信感度制御装置。
【請求項４】
前記制御部は、
前記チューニング実行後の受信特性が前記ＳＷテーブルの設定に基づく受信特性よりも良好な場合に、前記チューニングによる前記ＧＮＤ接点の接地を行うことを特徴とする請求項３に記載の受信感度制御装置。
【請求項５】
前記制御部は、
前記受信特性として、ＲＳＲＰ（Ｒｅｆｅｒｅｎｃｅ  Ｓｉｇｎａｌ  Ｒｅｃｅｉｖｅｄ  Ｐｏｗｅｒ）と、ＲＳＲＱ（Ｒｅｆｅｒｅｎｃｅ  Ｓｉｇｎａｌ  Ｒｅｃｅｉｖｅｄ  Ｑｕａｌｉｔｙ）とを用いることを特徴とする請求項１〜４のいずれか一つに記載の受信感度制御装置。
【請求項６】
前記ＳＷテーブルには、前記筐体の手持ち時の各持ち方別の複数の前記向きとして、前記筐体を縦持ちしたときの片手での持ち手別、前記筐体を上下逆に縦持ちしたときの片手での持ち手別、前記筐体を両手で横持ちしたときの前記筐体の上下方向別、のそれぞれを設定したことを特徴とする請求項２〜５のいずれか一つに記載の受信感度制御装置。
【請求項７】
筐体に設けられる金属筐体を異なる複数箇所で接地するＧＮＤ接点を有する携帯端末の受信感度制御方法であって、
前記筐体の手持ち時の各持ち方別に対応して、前記ＧＮＤ接点に設けたスイッチを切り替え制御する、
ことを特徴とする受信感度制御方法。
【請求項８】
前記携帯端末の実使用前に、前記筐体の手持ち時の各持ち方別に対応した前記筐体の複数の前記向き毎の受信特性が良好な複数の前記ＧＮＤ接点のスイッチの切り替え状態をＳＷテーブルに設定する、
ことを特徴とする請求項７に記載の受信感度制御方法。
【請求項９】
携帯端末の受信感度制御プログラムであって、
前記携帯端末のコンピュータに、
前記携帯端末の筐体の手持ち時の各持ち方別に対応して、前記筐体に設けられる金属筐体を異なる複数箇所で接地するＧＮＤ接点に設けたスイッチを切り替え制御する、
処理を実行させることを特徴とする受信感度制御プログラム。
【発明の詳細な説明】
【技術分野】
【０００１】
本発明は、携帯端末の受信感度を改善する受信感度制御装置、受信感度制御方法および受信感度制御プログラムに関する。
【背景技術】
【０００２】
近年の携帯端末、例えばスマートフォンは、デザイン性の向上等により、筐体の外周全体に金属を設けたものや、部分的に樹脂ではなく金属を設けたものが用いられるようになっている。このような携帯端末に内蔵されているアンテナは、筐体に使用した金属の影響を受けるため、金属部分を内蔵の基板に対してＧＮＤ接地させるなどして、金属の影響を軽減させている。ユーザによる携帯端末の持ち方が変化する等により、金属部分の不要共振が使用する通信帯域内に生じると、アンテナ性能が劣化し、受信性能が劣化する。
【０００３】
従来技術として、基板のグランドと、金属導体との間をスイッチで切り替えることで、グランドに流れる高周波電流を制御し、異なる通信帯域でアンテナ特性を維持する技術がある（例えば、下記特許文献１参照。）。また、携帯端末の持ち方を複数検出してアンテナの整合状態を調整する技術がある（例えば、下記特許文献２参照。）。
【先行技術文献】
【特許文献】
【０００４】
【特許文献１】特開２０１３−０７４３６１号公報
【特許文献２】特開２０１５−２０７８１２号公報
【発明の概要】
【発明が解決しようとする課題】
【０００５】
しかしながら、携帯端末が自由空間にある時と、手持ち時とでは、金属部分の不要共振の周波数が異なるため、アンテナの整合定数だけは調整できない。アンテナの整合定数の調整では、アンテナの放射効率を下げ送信パワーを下げることはできても、アンテナ以外の金属が不要共振し、不要共振の周波数そのものを変えることはできない。これにより、金属部分に不要共振が生じ、受信感度を劣化させた場合のアンテナに対する影響を軽減させることができない。
【０００６】
一つの側面では、本発明は、金属筐体を有する携帯端末の持ち方にかかわらず受信感度を改善できることを目的とする。
【課題を解決するための手段】
【０００７】
一つの案では、受信感度制御装置は、携帯端末の筐体に設けられる金属筐体を異なる複数箇所で接地するＧＮＤ接点と、前記筐体の手持ち時の各持ち方別に対応して、前記ＧＮＤ接点に設けたスイッチを切り替え制御する制御部と、を備えたことを要件とする。
【発明の効果】
【０００８】
一つの実施形態によれば、金属筐体を有する携帯端末の持ち方にかかわらず受信感度を改善できるという効果を奏する。
【図面の簡単な説明】
【０００９】
【図１】図１は、実施の形態にかかる受信感度制御装置のハードウェア構成例を示す図である。
【図２】図２は、実施の形態にかかる受信感度制御装置が設けられる携帯端末の例を示す正面図である。
【図３】図３は、既存の技術による携帯端末の金属筐体の接地構造の例を示す断面図である。
【図４】図４は、既存の技術による金属筐体の接地によるアンテナの不要共振対策を説明する図表である。（その１）
【図５】図５は、既存の技術による金属筐体の接地によるアンテナの不要共振対策を説明する図表である。（その２）
【図６】図６は、既存の技術による金属筐体の接地によるアンテナの不要共振対策を説明する図表である。（その３）
【図７】図７は、アンテナの共振を説明する図である。
【図８】図８は、実施の形態にかかる受信感度制御装置の金属筐体の複数の接地構造を説明する断面図である。
【図９】図９は、実施の形態にかかる受信感度制御装置の接地切り替えＳＷの回路構成例を示す図である。
【図１０】図１０は、実施の形態にかかる受信感度制御装置のＳＷ設定に用いる複数のＧＮＤ接点のグループ分けを示す断面図である。
【図１１Ａ】図１１Ａは、実施の形態にかかる受信感度制御装置のＳＷ設定に用いる複数の持ち方を示す正面図である。（その１）
【図１１Ｂ】図１１Ｂは、実施の形態にかかる受信感度制御装置のＳＷ設定に用いる複数の持ち方を示す正面図である。（その２）
【図１１Ｃ】図１１Ｃは、実施の形態にかかる受信感度制御装置のＳＷ設定に用いる複数の持ち方を示す正面図である。（その３）
【図１２】図１２は、実施の形態にかかる受信感度制御装置のＳＷ設定を示す図表である。
【図１３】図１３は、実施の形態にかかる受信感度制御装置が行う事前チューニングの処理例を示すフローチャートである。
【図１４】図１４は、実施の形態にかかる受信感度制御装置の実使用チューニングで用いるレベル範囲設定表を示す図表である。
【図１５】図１５は、実施の形態にかかる受信感度制御装置が行う実使用チューニングの処理例を示すフローチャートである。
【図１６Ａ】図１６Ａは、実施の形態にかかる受信感度制御装置が行う実使用時の粗調チューニングの処理内容を示すフローチャートである。（その１）
【図１６Ｂ】図１６Ｂは、実施の形態にかかる受信感度制御装置が行う実使用時の粗調チューニングの処理内容を示すフローチャートである。（その２）
【図１７】図１７は、実施の形態にかかる受信感度制御装置が行う実使用時の微調チューニングの処理内容を示すフローチャートである。
【図１８】図１８は、実施の形態にかかる受信感度制御装置の接地切り替えＳＷのＧＮＤ接地構造例を示す図である。（その１）
【図１９】図１９は、実施の形態にかかる受信感度制御装置の接地切り替えＳＷのＧＮＤ接地構造例を示す図である。（その２）
【図２０】図２０は、実施の形態にかかる受信感度制御装置の接地切り替えＳＷのＧＮＤ接地構造例を示す図である。（その３）
【発明を実施するための形態】
【００１０】
（実施の形態１）
図１は、実施の形態にかかる受信感度制御装置のハードウェア構成例を示す図である。受信感度制御装置１００は、スマートフォン、携帯電話機等のユーザが携帯可能な携帯端末に設けられる。図１には、携帯端末の受信感度制御にかかる構成を主に記載してある。
【００１１】
受信感度制御装置１００は、ＣＰＵ１０１、メモリ１０２、傾き検出部１０３、接地切り替えスイッチ（ＳＷ）１０４、を含む。１０５は、携帯端末の筐体の金属の部分（金属筐体）である。上述したように、金属筐体１０５は、例えば、携帯端末の側面等、ユーザが携帯端末を持つ際にユーザの手に触れる箇所であり、また、ユーザによる携帯端末の持ち方により、金属筐体１０５に手が触れる位置は、固定ではなく変化する。
【００１２】
ＣＰＵ１０１は、受信感度の制御にかかる処理を行う制御部として機能する。ＣＰＵ１０１は、携帯端末が有するアプリケーション実行等のためのＣＰＵを用い、実施の形態の受信感度の制御も実行する構成としても良い。このＣＰＵ１０１は、接地切り替えＳＷ１０４を制御して、携帯端末の金属筐体１０５を、携帯端末の内部に設けられる複数の基板のＧＮＤのうちいずれかに接地接続する。ＣＰＵ１０１は、メモリ１０２のＳＷテーブル１１１を参照して接地切り替えＳＷ１０４を切り替え制御する。
【００１３】
所定長さを有する金属筐体１０５は、複数の位置のいずれか一つ、あるいは組み合わせた複数の位置が接地切り替えＳＷ１０４によりＧＮＤ接地される。図１の例では、金属筐体１０５は、長さ方向に沿って異なるｎ個の位置において、接地切り替えＳＷ１０４によりＧＮＤ接地される。金属筐体１０５には、ユーザの手が触れる箇所に設けられ、携帯端末の持ち方別に金属筐体１０５に触れる箇所も異なるため、ＧＮＤ接地箇所を異なる複数の箇所とする。
【００１４】
メモリ１０２には、ユーザによる携帯端末の持ち方のパターン毎に適したＧＮＤ接地する接地切り替えＳＷ１０４の切り替え状態がＳＷテーブル１１１として記憶保持されている。ＳＷテーブル１１１は、携帯端末の運用前の事前チューニングで設定される（詳細は後述する）。メモリ１０２は、ＲＯＭやＲＡＭ等を用いて構成でき、例えば、ＳＷテーブル１１１は不揮発性メモリに設定し記憶保持される。
【００１５】
傾き検出部１０３は、携帯端末の向き（上下左右）を含む傾きを検出する。傾きは、例えば、前後Ｘ、左右Ｙ、上下Ｚの３軸方向を検出できる加速度センサ、東西南北を検出できる地磁気センサ、または加速度センサと回転の速さを検出できるジャイロセンサ、を組み合わせた６軸センサ１１２を用いて検出できる。６軸センサは、携帯端末に一般的に搭載されているセンサを用いることができる。
【００１６】
図２は、実施の形態にかかる受信感度制御装置が設けられる携帯端末の例を示す正面図である。携帯端末２００としてスマートフォンを示す。この携帯端末２００の筐体２０１前面には、表示部２０２が設けられている。筐体２０１の両側部には、上述した金属筐体１０５が設けられている。
【００１７】
また、筐体２０１の内部には、上下にそれぞれアンテナ２０３が設けられている。アンテナ２０３は、異なる周波数帯のアンテナ（８００ＭＨｚ帯）２０３ａと、アンテナ（２ＧＨｚ帯）２０３ｂとがそれぞれ上下に設けられている。例えば、下部に設けられるアンテナ２０３（２０３ａ，２０３ｂ）は無線通信の送受信用に用いられるメインアンテナであり、上部に設けられるアンテナ２０３（２０３ａ，２０３ｂ）は、ダイバーシティ受信用に用いられるサブアンテナである。
【００１８】
（既存の金属筐体の接地構造例と不要共振対策）
図３は、既存の技術による携帯端末の金属筐体の接地構造の例を示す断面図である。ここで、既存の技術による金属筐体の接地構造例について説明しておく。携帯端末２００のアンテナ２０３（図２参照）は、筐体２０１の一部に用いている金属筐体１０５の影響を受けるため、金属筐体１０５を筐体２０１の基板（回路基板）３０１ａ，３０１ｂにグランド（ＧＮＤ）接地させて、金属筐体１０５の影響を軽減させている。
【００１９】
図３の例では、筐体２０１の両側部の上下方向に沿って設けられた金属筐体１０５は、回路基板３０１ａに対し、ＧＮＤ接点３０３を介してＧＮＤ接地させている。筐体２０１の中央には、電池（バッテリ）３０２が設けられており、電池３０２の上下にそれぞれ基板３０１ａ，３０１ｂが設けられている。ＧＮＤ接点３０３は、基板３０１ａ，３０１ｂのＧＮＤ端子部分に配置され、ＧＮＤ端子に金属筐体１０５をＧＮＤ接地させる。
【００２０】
図４〜図６は、既存の技術による金属筐体の接地によるアンテナの不要共振対策を説明する図表である。図４〜図６の（ａ）の横軸は周波数、縦軸は反射損失（Ｓ１１）であり、図中λが通信周波数帯域である。図４〜図６の（ｂ）は図４（ａ）の拡大図であり、横軸は周波数、縦軸はアンテナ効率である。図中破線は、通常特性、例えば金属筐体１０５を用いない筐体２０１の特性である。
【００２１】
また、図中実線は、不要共振特性、例えば筐体２０１の一部に金属筐体１０５を用いた場合の特性であり、箇所Ｘに示すように、通常特性から外れる不要共振が生じている。但し、図４に示す例では、金属筐体１０５をＧＮＤ接地することにより、通信周波数帯域λの帯域外に不要共振の箇所Ｘを逃がすことができる。
【００２２】
図５は、既存の技術の金属筐体の接地構造で生じるアンテナの不要共振を説明する図表である。図４で説明した金属筐体１０５をＧＮＤ接地した構造であっても、ユーザが携帯端末２００の筐体２０１の持ち方によっては、金属筐体１０５の不要共振の箇所Ｘが、使用する通信周波数帯域λ内に移動して発生することがある。
【００２３】
例えば、携帯端末２００が自由空間にある時と、ユーザによる携帯端末２００の手持ち時とでは、金属筐体１０５による不要共振の周波数が異なる。自由空間とは、例えば、携帯端末２００を置いた状態等、ユーザが携帯端末２００を手持ちしていない状態である。また、携帯端末２００に対する手持ち状態が異なると、金属筐体１０５による不要共振の周波数が異なってくる。
【００２４】
この不要共振の発生により、図５（ｂ）に示すように、通常特性（破線）に対し、通信周波数帯域λ内での不要共振の発生の特性（実線）が一部欠ける形となってアンテナ効率が低下し、受信特性に劣化が生じる。
【００２５】
図６は、既存の技術の金属筐体の接地構造で生じるアンテナの不要共振の対策例を説明する図表である。上述したように、携帯端末２００が自由空間の時と手持ち時とでは、金属部分の不要共振の周波数が異なるため、既存技術によるアンテナの整合定数だけでの調整には限界が生じる。図６（ａ）に示すように、アンテナの整合定数を変化させても、共振周波数の極が移動するだけで、金属筐体１０５の不要共振周波数（箇所Ｘ）は変わらない。そして、図６（ｂ）に示すように、アンテナの放射効率は改善できない。
【００２６】
不要共振周波数の改善対策として、例えば、微小な変化に対して、アンテナのインピーダンスのバラツキを低減させるアンテナチューニングデバイスがあるが、高価な部品を使用するため、不要共振を安価に実現できない。そして、このチューニングデバイスは、アンテナのマッチング回路の定数を変化させアンテナの共振周波数の極を移動させる。そのため、金属筐体１０５の不要共振周波数については、アンテナの整合回路をいくら調整しても変化しないため、アンテナ性能は改善せず、不要共振周波数が使用する通信周波数帯域λ内に移動した時に、不要共振の周波数そのものを移動させる必要が生じる。
【００２７】
ここで、上述した特許文献１の技術のように、アンテナ給電点に１箇所のスイッチを設けて導体との接続を周波数毎に切り替える技術では不要共振の周波数そのものを変えることはできない。そして、金属筐体１０５部分に不要共振が起きた場合のアンテナ影響を軽減させることができない。また、特許文献２の技術のように、端末内に複数のグリップセンサを設けてユーザによる端末の持ち方を感知し、整合回路内の可変容量素子を制御する構成では、アンテナの放射効率を下げて送信パワーを下げるのみである。この場合、アンテナ以外の金属筐体１０５の不要共振が通信周波数帯域λ内に入り、受信感度が劣化する。
【００２８】
（実施の形態の金属筐体の接地構造例と不要共振対策）
上述した不要共振は、金属筐体１０５がアンテナに見えることによって起こる。図７は、アンテナの共振を説明する図である。図７（ａ）はアンテナ２０３の等価回路図である。図７（ｂ）はアンテナ特性を示す図表であり、横軸は周波数、縦軸は電流である。図７（ａ）のＬ（インダクタ）、Ｃ（容量）、Ｒ（抵抗）からなるアンテナ回路に高周波を加えると、図７（ｂ）に示すＬＣＲの各値で決まる周波数（ｆ0）において高周波電流の値が高くなる。
【００２９】
そして、金属筐体１０５の部分にユーザの手が触れると、Ｃ（容量）の値が変化し、共振周波数が変化する。一方で共振周波数は、アンテナ２０３の長さによっても変化する。
【００３０】
このため、実施の形態では、携帯端末２００の状態変化、すなわち、携帯端末２００の手持ち時と、自由空間時とでＧＮＤ接地位置を変える。これにより、不要共振の周波数を変え、不要共振を通信周波数帯域λの外に移動させる。ＧＮＤ接地位置を変える具体的手段として、金属筐体１０５部分に複数のＧＮＤ接点を設ける。
【００３１】
図８は、実施の形態にかかる受信感度制御装置の金属筐体の複数の接地構造を説明する断面図である。図８に示すように、筐体２０１の両側部の上下方向に沿って設けられた金属筐体１０５は、回路基板３０１ａ，３０１ｂに対し、複数のＧＮＤ接点３０３ａ〜３０３ｊを介してＧＮＤ接地させる。
【００３２】
一方（右側）の金属筐体１０５は、上部の回路基板３０１ａに３つのＧＮＤ接点３０３ａ〜３０３ｃを介してＧＮＤ接地し、下部の回路基板３０１ｂに二つのＧＮＤ接点３０３ｄ，３０３ｅを介してＧＮＤ接地する。
【００３３】
他方（左側）の金属筐体１０５は、上部の回路基板３０１ａに３つのＧＮＤ接点３０３ｆ〜３０３ｈを介してＧＮＤ接地し、下部の回路基板３０１ｂに二つのＧＮＤ接点３０３ｉ，３０３ｊを介してＧＮＤ接地する。
【００３４】
これら複数のＧＮＤ接点３０３（３０３ａ〜３０３ｊ）は、図１に示したＳＷ１〜ＳＷ１０に相当し、接地切り替えＳＷ１０４の切り替えによりＧＮＤ接地する位置が選択される。接地切り替えＳＷ１０４の切り替えは、ＣＰＵ１０１が制御する。このように、金属筐体１０５について、複数のＧＮＤ接地位置を設け、接地切り替えＳＷ１０４によりＧＮＤ接地位置を切り替えることにより、共振周波数を変え、携帯端末２００の変化する手持ち位置に対し、常に最適なＧＮＤ接地状態が得られる構造としている。
【００３５】
図９は、実施の形態にかかる受信感度制御装置の接地切り替えＳＷの回路構成例を示す図である。接地切り替えＳＷ１０４の各スイッチ（ＳＷ１〜ＳＷ１０）９００は、金属筐体１０５と接続するためのポート１（９０１）と、回路基板３０１（３０１ａ，３０１ｂ）のＧＮＤに接地するためのポート２（９０２）を備えている。
【００３６】
ＣＰＵ１０１からの制御信号（ＶＣＮＴ１〜ＶＣＮＴ１０）により、各スイッチ（ＳＷ１〜ＳＷ１０）９００のオープンあるいはショートが制御される。そして、ショート制御されたスイッチ（ＳＷ１〜ＳＷ１０）９００部分の金属筐体１０５がＧＮＤ接点３０３（３０３ａ〜３０３ｊ）を介してＧＮＤ接地される。
【００３７】
金属筐体１０５は、理想的にはλ／４以下の間隔で回路基板３０１（３０１ａ，３０１ｂ）に対してＧＮＤ接地することが理想である。図８等に記載した携帯端末２００の構造では、二つの回路基板３０１ａ，３０１ｂの間に電池３０２が実装されているため、この電池３０２の部分に位置する金属筐体１０５はＧＮＤ接地できない。また、近年の電池３０２の大型化するに伴い、ＧＮＤ接地がとれない距離がλ／４を超えることがある。この場合、金属筐体１０５のうちＧＮＤ設置できないこの部分が仮想的にアンテナとして見えてしまう。そのため、少なくともアンテナ長の半分以下で調整できるように、回路基板３０１上に設けるＧＮＤ接点３０３（３０３ａ〜３０３ｊ）の間隔は、通信に使用する最大周波数のλ／８以下とする。
【００３８】
ＣＰＵ１０１は、ユーザが携帯端末２００を手に持った時の受信感度の劣化をＲＳＲＰとＲＳＲＱを用いて判別する。ＲＳＲＰはＲｅｆｅｒｅｎｃｅ  Ｓｉｇｎａｌ  Ｒｅｃｅｉｖｅｄ  Ｐｏｗｅｒ、ＲＳＲＱはＲｅｆｅｒｅｎｃｅ  Ｓｉｇｎａｌ  Ｒｅｃｅｉｖｅｄ  Ｑｕａｌｉｔｙ、の略である。
【００３９】
また、ＣＰＵ１０１は、携帯端末２００内の６軸センサ１１２の情報により携帯端末２００の傾きなどを検知し、これらの情報を元に、金属筐体１０５の最適なＧＮＤ接地位置を選択（変更）することで、アンテナ受信感度が良好となるように制御する。
【００４０】
上述した金属筐体１０５のＧＮＤ接地位置のＳＷ設定は、携帯端末２００の持ち方による最適なＳＷ設定条件を見つけるための事前チューニングと、実際に携帯端末２００の使用中に、事前チューニングの結果を元に行う実使用チューニングとに分けられる。これらのチューニングについて説明する。
【００４１】
（事前チューニング）
接地切り替えＳＷ１０４の全てのＳＷ設定を実使用時に設定すると時間がかかること、また、ＳＷ設定によっては、受信感度が劣化する場合がある。このため、事前チューニングでは、携帯端末２００の持ち方による最適なＳＷ設定（ＳＷテーブル１１１）を携帯端末２００のメモリ１０２に設定する。
【００４２】
図２に示した例では、携帯端末２００には、異なる位置に４つのアンテナ２０３（２０３ａ，２０３ｂ）が設けられている。携帯端末２００の持ち方により、各アンテナ２０３への影響の受け方が異なる。このため、図１０に示すように、ＧＮＤ接点３０３同士のうち互いに近接する（間隔が近い）ものを一つのグループとして、計４つのグループに分ける。
【００４３】
図１０は、実施の形態にかかる受信感度制御装置のＳＷ設定に用いる複数のＧＮＤ接点のグループ分けを示す断面図である。ＳＷテーブル１１１には、接地切り替えＳＷ１０４の各ＳＷ（ＳＷ１〜ＳＷ１０）に対するＳＷグループの情報を設定する。
【００４４】
回路基板３０１ａの右側に位置し間隔が近い３つのＧＮＤ接点３０３ａ〜３０３ｃのＳＷ１〜ＳＷ３をＳＷグループ１とする。また、回路基板３０１ｂの右側に位置し間隔が近い二つのＧＮＤ接点３０３ｄ，３０３ｅのＳＷ４，ＳＷ５をＳＷグループ２とする。また、回路基板３０１ａの左側に位置し間隔が近い３つのＧＮＤ接点３０３ｆ〜３０３ｈのＳＷ６〜ＳＷ８をＳＷグループ３とする。また、回路基板３０１ｂの左側に位置し間隔が近い二つのＧＮＤ接点３０３ｉ，３０３ｊのＳＷ９，ＳＷ１０をＳＷグループ４とする。
【００４５】
図１１Ａ〜図１１Ｃは、実施の形態にかかる受信感度制御装置のＳＷ設定に用いる複数の持ち方を示す正面図である。これらの図に示すように、携帯端末２００の一般的持ち方を場合分けしてＳＷテーブル１１１に設定する。
【００４６】
図１１Ａ（ａ）のＣＡＳＥ１は、携帯端末２００の下側を左手で縦持ちした場合である。図１１Ａ（ｂ）のＣＡＳＥ２は、携帯端末２００の下側を右手で縦持ちした場合である。図１１Ｂ（ｃ）のＣＡＳＥ３は、上が右側の携帯端末２００を両手で横持ちした場合である。図１１Ｂ（ｄ）のＣＡＳＥ４は、上が左側の携帯端末２００を両手で横持ちした場合である。図１１Ｃ（ｅ）のＣＡＳＥ５は、上下逆の携帯端末２００の上側を左手で縦持ち（下持ち）した場合である。図１１Ｃ（ｆ）のＣＡＳＥ６は、上下逆の携帯端末２００の上側を右手で縦持ち（下持ち）した場合である。
【００４７】
（事前チューニング）
図１２は、実施の形態にかかる受信感度制御装置のＳＷ設定を示す図表である。ＳＷテーブル１１１に事前チューニングで設定する項目例を示す。このＳＷテーブル１１１は、使用する周波数帯毎に作成される。
【００４８】
図１２に示すＳＷテーブル１１１は、縦方向の持ち方の各項目として、［初期状態］（すなわち、携帯端末２００を手持ちせずにテーブル等に水平で平置きした状態）、および携帯端末２００の持ち方を場合別（ＣＡＳＥ１〜ＣＡＳＥ６）に設ける。また、横方向の各項目として、各ＧＮＤ接点３０３（３０３ａ〜３０３ｉ）をＳＷグループ別に設ける。また、各場合（ＣＡＳＥ）別で検知したＲＳＲＰとＲＳＲＱの値が設定保持される。
【００４９】
ＣＰＵ１０１は、事前チューニングで行える処理として、ＳＷテーブル１１１に設定されている持ち方別のＳＷを組み合わせて最適なＧＮＤ接地位置を設定する。この際、ＣＰＵ１０１は、全てのスイッチ（ＳＷ１〜ＳＷ１０）９００をオンオフさせる。そして、その中から最適なＲＳＲＰ、ＲＳＲＱの値が検知された時のスイッチ９００のオンオフの組み合わせと、ＲＳＲＰ、ＲＳＲＱの値と、をＳＷテーブル１１１に書き込み保持する。なお、値「１」はスイッチ９００のショート(閉)状態、「０」はオープン(開)状態である。
【００５０】
図１３は、実施の形態にかかる受信感度制御装置が行う事前チューニングの処理例を示すフローチャートである。携帯端末２００の実使用前にＣＰＵ１０１が実行する事前チューニングの処理例を示す。事前チューニングでは、携帯端末２００の持ち方の場合別において、スイッチＳＷ（ＳＷ１〜ＳＷ１０）の全ての組み合わせ（１０10通り）を選択し、それぞれの選択時のＲＳＲＰ、ＲＳＲＱ値をメモリ１０２に一時保存する。
【００５１】
ＣＰＵ１０１は、ＳＷテーブル１１１の設定にしたがい、携帯端末２００の全ての持ち方別の処理を実行する（ステップＳ１３０１）。はじめに、［初期状態］でステップＳ１３０７までの全処理を実行した後、次にＣＡＳＥ１の処理を実行し、最後にＣＡＳＥ６の処理を実行する。
【００５２】
各持ち方別の処理では、はじめに持ち方の条件が［初期状態］で全てのＳＷ１〜ＳＷ１０のＳＷ設定を初期値［００００００００００］とし（ステップＳ１３０２）、その際に検知したＲＳＲＰ、ＲＳＲＱの値をメモリ１０２に一時保存する（ステップＳ１３０３）。［００００００００００］は、１０ビットで各スイッチＳＷ（ＳＷ１〜ＳＷ１０）の開閉状態を意味し、各ビットの「１」は対応するスイッチＳＷ（ＳＷ１〜ＳＷ１０）のショート（閉）状態を意味する。「０」は対応するスイッチＳＷ（ＳＷ１〜ＳＷ１０）のオープン（開）状態を意味する。
【００５３】
そして、ＣＰＵ１０１は、全てのＳＷの組み合わせが終了したかを判断する（ステップＳ１３０４）。ＳＷ設定が［１１１１１１１１１１］となれば終了と判断する。はじめは、ＣＰＵ１０１は、終了判断で未終了と判断し（ステップＳ１３０４：Ｎｏ）、ＳＷ設定を下位ビットから順次インクリメント（＋１）し、［０００００００００１］としてステップＳ１３０２に戻る。そして、この際に検知したＲＳＲＰとＲＳＲＱの値をメモリ１０２に一時保存する（ステップＳ１３０３）。そして、ＣＰＵ１０１は、終了条件のＳＷ設定［１１１１１１１１１１］になるまで繰り返す。
【００５４】
そして、ＣＰＵ１０１は、全てのＳＷ設定の組み合わせによる測定が終了すると（ステップＳ１３０４：Ｙｅｓ）、それまでに検知したＲＳＲＰ、ＲＳＲＱの最良値をメモリ１０２から読み出す（ステップＳ１３０５）。そして、ＣＰＵ１０１は、読み出したＲＳＲＰとＲＳＲＱの最良値が検知されたＳＷ設定に対応するＳＷの開閉状態（ビット０／１）を、図１２に示すＳＷテーブル１１１に書き込む（ステップＳ１３０６）。
【００５５】
例えば、図１２の［ＣＡＳＥ１］におけるＲＳＲＰとＲＳＲＱの最良値はそれぞれ「−１０８」、「−１０」であり、この最良値が得られた際の各ＳＷの開閉状態は、ＳＷ１〜ＳＷ８が「１」(ショート)、ＳＷ９，ＳＷ１０が「０」 (オープン)である。
【００５６】
次に、ＣＰＵ１０１は、携帯端末２００の持ち方の全条件（［初期状態］〜［ＣＡＳＥ６］が終了したか判断する（ステップＳ１３０７）。上記の［初期状態］に関する処理のみが終了した場合には（ステップＳ１３０７：Ｎｏ）、ステップＳ１３０１に戻り、次に、［ＣＡＳＥ１］に関する処理を実行する。この後、ＣＰＵ１０１は、同様の処理を［ＣＡＳＥ２］〜［ＣＡＳＥ６］まで繰り返す。そして、上記の持ち方の全条件（［ＣＡＳＥ１］〜［ＣＡＳＥ６］）に関する処理が終了すれば（ステップＳ１３０７：Ｙｅｓ）、全ての持ち方の処理が終了したと判断し（ステップＳ１３０８）、以上の事前チューニングの処理を終了する。
【００５７】
これにより、図１２に示すＳＷテーブル１１１には、各持ち方別のＳＷ設定と、このＳＷ設定によるＲＳＲＰ，ＲＳＲＱの値（最良値）が設定保持され、ＳＷテーブル１１１が完成する。
【００５８】
（実使用チューニング）
次に、携帯端末２００の実動作でのチューニングについて説明する。携帯端末２００の実使用時には、事前チューニングで得たＳＷテーブル１１１のＳＷ設定を参照し、実使用時の際に検出されたＲＳＲＰとＲＳＲＱの値を用いて、チューニング処理を行う。
【００５９】
図１４は、実施の形態にかかる受信感度制御装置の実使用チューニングで用いるレベル範囲設定表を示す図表である。図１４に示すレベル範囲設定表１４０１の横軸はＲＳＲＱ、縦軸はＲＳＲＰである。図１４の設定例では、ＲＳＲＱとＲＳＲＰの値の組み合わせをレンジ（Ｒａｎｇｅ１〜Ｒａｎｇｅ５）別の５段階に分割している。Ｒａｎｇｅ１は最も強電界なレベルであり、Ｒａｎｇｅ２→Ｒａｎｇｅ５になるにつれて弱電界のレベルとなる。なお、ＮＧは、圏外に相当するレベルである。このレベル範囲設定表１４０１は、メモリ１０２にあらかじめ設定保持しておき、ＣＰＵ１０１が携帯端末２００の実使用チューニング時に参照する。
【００６０】
図１５は、実施の形態にかかる受信感度制御装置が行う実使用チューニングの処理例を示すフローチャートである。携帯端末２００の実使用時にＣＰＵ１０１が行う処理内容を示す。携帯端末２００の実使用時には、ＲＳＲＰおよびＲＳＲＱのレベルは電波環境により変動する。このため、ＣＰＵ１０１は、はじめに実使用時（現在）のＲＳＲＰとＲＳＲＱのレベルを確認する（ステップＳ１５０１）。
【００６１】
次に、ＣＰＵ１０１は、レベル範囲設定表１４０１（図１４参照）を読み出す。そして、レベル範囲設定表１４０１に設定されたＲＳＲＰとＲＳＲＱの値からなるレンジ設定に対し、現在のＲＳＲＰとＲＳＲＱのレベルが異なるレンジであるか（大きな変化があるか）否かを判断する（ステップＳ１５０２）。
【００６２】
ここで、レベル範囲設定表１４０１のレンジに対し、現在のＲＳＲＰとＲＳＲＱのレベルが１段階以上レンジ変化した場合のみ（ステップＳ１５０２：Ｙｅｓ）、次にチューニング動作（１）を行う（ステップＳ１５０４）。一方、レンジ変化がなければ（ステップＳ１５０２：Ｎｏ）、現状を維持し、チューニング動作無しとし（ステップＳ１５０３）、処理を終了する。このチューニング動作無しの場合には、事前チューニングで得たＳＷテーブル１１１にしたがって各ＳＷ１〜ＳＷ１０をＳＷ設定することになる。
【００６３】
ステップＳ１５０４のチューニング動作（１）では、ＣＰＵ１０１は、実使用時にレンジの変化が起こった場合の粗調チューニングを開始する（ステップＳ１５０４）。粗調チューニングでは、６軸センサ１１２が検出した傾きの情報を得て、ＳＷテーブル１１１の中から参照すべき各ＳＷのＳＷグループを決定する（ステップＳ１５０５）。
【００６４】
次に、ＣＰＵ１０１は、チューニング動作（２）の微調チューニングを行う（ステップＳ１５０６）。この微調チューニングでは、粗調チューニングで決定された設定（ＣＡＳＥ１〜６）で、初期設定から変化のあったＳＷグループの設定のみを変化させて微調チューニング動作を行う。この微調チューニングでは、実使用時におけるユーザの携帯端末２００の持ち方等に対応したチューニングを行う。
【００６５】
次に、ＣＰＵ１０１は、ＳＷグループの中で最良のＲＳＲＰとＲＳＲＱの値のＳＷ設定を読み出し、微調チューニング前のＲＳＲＰとＲＳＲＱの値と比較する。そして、微調チューニング動作による結果（ＲＳＲＰ、ＲＳＲＱのレベル）が改善されたか否かを判断する（ステップＳ１５０７）。そして、微調チューニングによる結果が改善されていれば（ステップＳ１５０７：Ｙｅｓ）、微調チューニングの結果を採用し、微調チューニング動作を終了させる。一方、ＲＳＲＰとＲＳＲＱの値が改善されていなければ（ステップＳ１５０７：Ｎｏ）、元の状態（微調チューニング前）のＳＷ設定に変更し（ステップＳ１５０８）、微調チューニングを終了する。
【００６６】
粗調チューニングにおいて、実使用時にチューニング動作で全てのＳＷの組み合わせのチューニング動作を行うと、時間がかかるのに加え、現在の状態から感度が劣化する組み合わせもある。これらの影響を防ぐため、６軸センサ１１２から現在の携帯端末２００の向き（上下左右）を含む傾きを取得し、取得した携帯端末２００の傾きに基づき、事前に取得したＳＷテーブル１１１から、対象の持ち方の場合（ＣＡＳＥ）を呼び出す。これにより、チューニング時間の短縮と不本意なＳＷ設定による実使用時の感度劣化を防ぐ。
【００６７】
図１６Ａ，図１６Ｂは、実施の形態にかかる受信感度制御装置が行う実使用時の粗調チューニングの処理内容を示すフローチャートである。図１５のステップＳ１５０４の処理の詳細を示す。粗調のチューニングでは、ＣＰＵ１０１は、６軸センサ１１２の情報から携帯端末２００の傾斜（向き）の情報として上下左右のいずれかであるかを取得する（ステップＳ１６０１）。そして、ＣＰＵ１０１は、得られた携帯端末２００の向きにより、ＳＷテーブル１１１から該当する持ち方（ＣＡＳＥ）を選択する。
【００６８】
携帯端末２００の向きが横の場合（両手持ち）は、上下方向別に（１）（ステップＳ１６０２）、あるいは（２）（ステップＳ１６０４）のいずれであるかを判断する。ステップＳ１６０２により、ＣＰＵ１０１は、携帯端末２００の向きはＣＡＳＥ３（図１１Ｂ（ｃ）参照）と判断し（ステップＳ１６０３）、処理を終了する。ステップＳ１６０４により、ＣＰＵ１０１は、携帯端末２００の向きはＣＡＳＥ４（図１１Ｂ（ｄ）参照）と判断し（ステップＳ１６０５）、処理を終了する。
【００６９】
また、携帯端末２００が縦の場合、６軸センサ１１２の向きの情報だけでは、左右どちらの手で持っているかの情報までは得ることができない。このため、携帯端末２００の向きが縦の場合は、携帯端末２００が正常な上下位置の場合（１）（ステップＳ１６１１）、あるいは、携帯端末２００が上下逆の場合（２）（ステップＳ１６２１）のいずれか別の処理を行う。
【００７０】
携帯端末２００が正常な上下位置の場合（１）（ステップＳ１６１１）は、ＣＡＳＥ１，２のいずれかである（図１１Ａ（ａ），（ｂ）参照）。そして、ＣＰＵ１０１は、まずＣＡＳＥ１を選択し（ステップＳ１６１２）、ＲＳＲＰとＲＳＲＱの値を測定する（ステップＳ１６１３）。次に、ＣＡＳＥ２を選択し（ステップＳ１６１４）、ＲＳＲＰとＲＳＲＱの値を測定する（ステップＳ１６１５）。
【００７１】
そして、ＣＰＵ１０１は、ＣＡＳＥ１でのＲＳＲＰとＲＳＲＱの値と、ＣＡＳＥ２でのＲＳＲＰとＲＳＲＱの値とを比較する（ステップＳ１６１６）。比較の結果、ＲＳＲＰとＲＳＲＱの値が良い（高い）方を粗調チューニングの結果とする。ステップＳ１６１６でＣＡＳＥ１の方のＲＳＲＰとＲＳＲＱの値が高ければ（ステップＳ１６１６：ＣＡＳＥ１が高い）、ＣＡＳＥ１を選択し（ステップＳ１６１７）、以上の処理を終了する。一方、ステップＳ１６１６でＣＡＳＥ２の方のＲＳＲＰとＲＳＲＱの値が高ければ（ステップＳ１６１６：ＣＡＳＥ２が高い）、ＣＡＳＥ２を選択し（ステップＳ１６１８）、以上の処理を終了する。
【００７２】
携帯端末２００が縦で上下位置が逆の場合（２）（ステップＳ１６２１）は、ＣＡＳＥ５，６のいずれかである（図１１Ｃ（ｅ），（ｆ）参照）。そして、ＣＰＵ１０１は、まずＣＡＳＥ５を選択し（ステップＳ１６２２）、ＲＳＲＰとＲＳＲＱの値を測定する（ステップＳ１６２３）。次に、ＣＡＳＥ６を選択し（ステップＳ１６２４）、ＲＳＲＰとＲＳＲＱの値を測定する（ステップＳ１６２５）。
【００７３】
そして、ＣＰＵ１０１は、ＣＡＳＥ５でのＲＳＲＰとＲＳＲＱの値と、ＣＡＳＥ６でのＲＳＲＰとＲＳＲＱの値とを比較する（ステップＳ１６２６）。比較の結果、ＲＳＲＰとＲＳＲＱの値が良い（高い）方を粗調チューニングの結果とする。ステップＳ１６２６でＣＡＳＥ５の方のＲＳＲＰとＲＳＲＱの値が高ければ（ステップＳ１６２６：ＣＡＳＥ５が高い）、ＣＡＳＥ５を選択し（ステップＳ１６２７）、以上の処理を終了する。一方、ステップＳ１６２６でＣＡＳＥ６の方のＲＳＲＰとＲＳＲＱの値が高ければ（ステップＳ１６２６：ＣＡＳＥ６が高い）、ＣＡＳＥ６を選択し（ステップＳ１６２８）、以上の処理を終了する。
【００７４】
図１７は、実施の形態にかかる受信感度制御装置が行う実使用時の微調チューニングの処理内容を示すフローチャートである。図１５のステップＳ１５０６の処理の詳細を示す。はじめに、ＣＰＵ１０１は、図１６に示した処理による粗調チューニングの結果を読み出す（ステップＳ１７０１）。ここでは、ＣＰＵ１０１は、ＳＷテーブル１１１から微調チューニングする全てのＳＷグループ（ＳＷグループ１〜４）と、各ＳＷグループの各スイッチ（ＳＷ１〜ＳＷ１０）に格納されているＳＷの設定値（初期値）「０／１」を読み出す。
【００７５】
次に、読み出したＳＷグループ内の各スイッチＳＷを順次切り替える（ステップＳ１７０２）。そして、現在のＳＷの切り替え状態で得られたＲＳＲＰ値と、ＲＳＲＱ値をメモリ１０２上の一時保持領域に、該当するＳＷの値として書き込み保持する（ステップＳ１７０３）。そして、ＣＰＵ１０１は、一つのＳＷグループ内の全スイッチＳＷの切り替えが終了するまでの間は（ステップＳ１７０４：Ｎｏ）、ステップＳ１７０２に戻り、順次ＳＷ設定を一つずつ切り替えてステップＳ１７０３の処理を継続して行う。
【００７６】
そして、ＣＰＵ１０１は、一つのＳＷグループ内の全スイッチＳＷの切り替えが終了すると（ステップＳ１７０４：Ｙｅｓ）、ＳＷグループ内で最良値のＲＳＲＰと、ＲＳＲＱをメモリ１０２から読み出す（ステップＳ１７０５）。そして、ＣＰＵ１０１は、最良値のＲＳＲＰと、ＲＳＲＱが得られたＳＷ設定となるようＳＷグループの各ＳＷ設定を変更し（ステップＳ１７０６）、以上の処理を終了する。
【００７７】
この微調チューニングでは、ＳＷテーブル１１１の初期特性と、調整後のＳＷ論理に差分が出たＳＷグループの微調整を行う。この微調チューニングでは、ＳＷテーブル１１１の設定値（初期値）に対する変更は行わずにＳＷ設定を微調整する。具体例として、例えば、ＳＷグループ１に差分が出た場合の例を説明する。ＳＷグループ１は、ＳＷ１、ＳＷ２、ＳＷ３の３つのＳＷが存在し、ＣＰＵ１０１は、下記の手順で微調チューニングを行う。
【００７８】
（１ａ）ＳＷ１、ＳＷ２、ＳＷ３の設定を「０，０，０」に設定する（ステップＳ１７０２）。
（２ａ）上記ＳＷ設定で得たＲＳＲＰとＲＳＲＱの値をメモリ１０２に一時保持する（ステップＳ１７０３）。
（１ｂ）ＳＷ１、ＳＷ２、ＳＷ３の設定を「０，０，１」に変更する（ステップＳ１７０２）。
（２ｂ）上記ＳＷ設定で得たＲＳＲＰとＲＳＲＱの値をメモリ１０２に一時保持する（ステップＳ１７０３）。
（１ｃ）ＳＷ１、ＳＷ２、ＳＷ３の設定を一つずつ上げて「１，１，１」の設定まで繰り返し（ステップＳ１７０２）、（２ｃ）各ＳＷ設定で得たＲＳＲＰとＲＳＲＱの値をそれぞれメモリ１０２に一時保持する（ステップＳ１７０３）。
（３）メモリ１０２に保持してある最良値のＲＳＲＰとＲＳＲＱに該当するＳＷ設定を読み出す（ステップＳ１７０４）。
（４）読み出したＳＷ設定となるようＳＷグループの各ＳＷ（ＳＷ１，ＳＷ２，ＳＷ３）のＳＷ設定を変更する（ステップＳ１７０５）。以上により微調チューニングを終了する。
【００７９】
（接地切り替えＳＷのＧＮＤ接地構造例）
図１８〜図２０は、実施の形態にかかる受信感度制御装置の接地切り替えＳＷのＧＮＤ接地構造例を示す図である。図１８に示す例では、ＧＮＤ接地にはスイッチ（ＳＷ）を使用する。ＳＷのインプット（ＩＮＰＵＴ）が金属筐体１０５に接続される端子となる。ＣＰＵ１０１は、制御端子ＶＣＮＴを用いてＳＷの開閉を切り替え、金属筐体１０５をＧＮＤ接地あるいはオープンに切り替える。
【００８０】
図１９に示す例では、ＧＮＤ接地にはＳＰＤＴスイッチ１９０１を使用する。ＣＰＵ１０１は、ＳＰＤＴスイッチ１９０１の制御端子ＶＣＮＴを用いて、ＯＵＴ１、ＯＵＴ２の出力を切り替える。ＯＵＴ１端子はＯＰＥＮとなっており、ＯＵＴ２はＧＮＤに接地されており、金属筐体１０５のオープンあるいはＧＮＤ接地を切り替える。
【００８１】
図２０に示す例では、ＧＮＤ接地にはＳＰ３Ｔスイッチ２００１を使用する。ＳＰ３Ｔスイッチ２００１は、ＯＰＥＮ、接地の他に、アンテナへの不要共振の対策回路（トラップ回路）２００２のいずれかを選択する。トラップ回路は、Ｌ，Ｃ等からなり所定のインピーダンスを生じる回路である。ＳＰ３Ｔスイッチ２００１は、出力が３端子であるため、ＣＰＵ１０１は制御信号であるＶＣＮＴを２ｂｉｔ構成（ＶＣＮＴ１，ＶＣＮＴ２）としてスイッチの切り替え制御を行う。
【００８２】
以上説明した実施の形態によれば、携帯端末を手で持った場合、持ち方別による受信感度の変化に対応して、どのような持ち方であっても受信感度を改善できる。また、新たなセンサやチューニングデバイス部品等の特別な部品などを使わずに、既存の携帯機器が有する機能を用いて簡単に受信感度を改善できる。
【００８３】
実施の形態では、筐体の一部に、例えばユーザの手の触れる箇所に金属筐体が設けられ、携帯端末の持ち方別に金属筐体に触れる箇所も異なるため、ＧＮＤ接点を異なる複数の箇所に設けておく。そして、筐体を手持ちすることで金属筐体による不要共振が通信の使用周波数帯域に生じた場合に、金属筐体に設けた複数のＧＮＤ接点のうち、ＧＮＤ接地する箇所を切り替える。これにより、金属筐体の不要共振周波数を通信周波数の帯域外に移動させることができ、受信感度を改善させることができる。
【００８４】
受信感度の調整は、携帯端末を実使用する以前の時期に予め、携帯端末で想定する複数の持ち方と、複数のＧＮＤ接点のスイッチの開閉状態とを組み合わせたＳＷテーブルを作成しておく。これにより、実使用時には、受信感度の調整にかかる処理を簡単かつ容易に行えるようになる。ＳＷテーブルには、各持ち方において検知した受信特性（例えば、ＲＳＲＰやＲＳＲＱ等）が良好となるＳＷの開閉状態を設定しておく。
【００８５】
携帯端末は、内蔵する６軸センサ等により携帯端末の向きや傾きを検知でき、また、携帯端末の向きに応じた片手や両手での持ち方を想定した組み合わせをＳＷテーブルに設定することで、携帯端末の各種持ち方に対応できるようになる。また、実使用時に受信感度の調整にかかる処理を短時間で行えるようになる。
【００８６】
そして、携帯端末の実使用時には、ＳＷテーブルの設定（初期値）にしたがいＧＮＤ接地するスイッチを選択するが、検知した受信特性が所定以上のレンジ変化が生じた場合には、粗調および微調のチューニング動作を行う。チューニング結果が初期値の場合より向上した場合にチューニング結果を利用する。これにより、ＳＷテーブル設定だけではなく、より実際の手持ち状態で最適な受信感度に調整できるようになる。
【００８７】
ところで、実施の形態では、携帯端末の持ち方として図１１Ａ〜図１１Ｃに設定例を示したが、携帯端末としてさらに他の持ち方、例えば、携帯端末を縦にした両手持ち等、をさらにＳＷテーブルに追加設定してもよい。これにより、各種の持ち方別に対応したＳＷテーブルを用意できるようになる。
【００８８】
なお、本実施の形態で説明した受信感度制御にかかる方法は、あらかじめ用意された制御プログラムを対象機器（上記携帯端末）等のコンピュータ（ＣＰＵ等）が実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布しても良い。
【００８９】
上述した実施の形態に関し、さらに以下の付記を開示する。
【００９０】
（付記１）携帯端末の筐体に設けられる金属筐体を異なる複数箇所で接地するＧＮＤ接点と、
前記筐体の手持ち時の各持ち方別に対応して、前記ＧＮＤ接点に設けたスイッチを切り替え制御する制御部と、
を備えたことを特徴とする受信感度制御装置。
【００９１】
（付記２）前記筐体の複数の向きを検出する傾き検出部と、
前記筐体の手持ち時の各持ち方別に対応した前記筐体の複数の前記向き毎の受信特性が良好な複数の前記ＧＮＤ接点のスイッチの切り替え状態が設定されたＳＷテーブルと、を有し、
前記制御部は、
前記携帯端末の実使用時に、前記ＳＷテーブルを参照し、検出された前記筐体の向きに対応するＧＮＤ接点を接地することを特徴とする付記１に記載の受信感度制御装置。
【００９２】
（付記３）前記ＳＷテーブルは、互いに近接する複数の前記ＧＮＤ接点を一つのグループに分けた複数のグループ設定を含み、
前記制御部は、
前記携帯端末の実使用時に、検出された受信特性が所定レンジを超えて変化した場合には、前記ＳＷテーブルを参照し、検出された前記筐体の向きのグループ設定を読み出し、当該グループ設定内の複数の前記ＧＮＤ接点のスイッチを順次切り替え接地させて、受信特性が良好なスイッチの切り替え状態で前記ＧＮＤ接点を接地させるチューニングを行うことを特徴とする付記２に記載の受信感度制御装置。
【００９３】
（付記４）前記制御部は、
前記チューニング実行後の受信特性が前記ＳＷテーブルの設定に基づく受信特性よりも良好な場合に、前記チューニングによる前記ＧＮＤ接点の接地を行うことを特徴とする付記３に記載の受信感度制御装置。
【００９４】
（付記５）前記制御部は、
前記受信特性として、ＲＳＲＰ（Ｒｅｆｅｒｅｎｃｅ  Ｓｉｇｎａｌ  Ｒｅｃｅｉｖｅｄ  Ｐｏｗｅｒ）と、ＲＳＲＱ（Ｒｅｆｅｒｅｎｃｅ  Ｓｉｇｎａｌ  Ｒｅｃｅｉｖｅｄ  Ｑｕａｌｉｔｙ）とを用いることを特徴とする付記１〜４のいずれか一つに記載の受信感度制御装置。
【００９５】
（付記６）前記ＳＷテーブルには、前記筐体の手持ち時の各持ち方別の複数の前記向きとして、前記筐体を縦持ちしたときの片手での持ち手別、前記筐体を上下逆に縦持ちしたときの片手での持ち手別、前記筐体を両手で横持ちしたときの前記筐体の上下方向別、のそれぞれを設定したことを特徴とする付記２〜５のいずれか一つに記載の受信感度制御装置。
【００９６】
（付記７）筐体に設けられる金属筐体を異なる複数箇所で接地するＧＮＤ接点を有する携帯端末の受信感度制御方法であって、
前記筐体の手持ち時の各持ち方別に対応して、前記ＧＮＤ接点に設けたスイッチを切り替え制御する、
ことを特徴とする受信感度制御方法。
【００９７】
（付記８）前記携帯端末の実使用前に、前記筐体の手持ち時の各持ち方別に対応した前記筐体の複数の前記向き毎の受信特性が良好な複数の前記ＧＮＤ接点のスイッチの切り替え状態をＳＷテーブルに設定する、
ことを特徴とする付記７に記載の受信感度制御方法。
【００９８】
（付記９）前記携帯端末の実使用時に、前記ＳＷテーブルを参照し、検出された前記筐体の向きに対応するＧＮＤ接点を接地することを特徴とする付記８に記載の受信感度制御方法。
【００９９】
（付記１０）携帯端末の受信感度制御プログラムであって、
前記携帯端末のコンピュータに、
前記携帯端末の筐体の手持ち時の各持ち方別に対応して、前記筐体に設けられる金属筐体を異なる複数箇所で接地するＧＮＤ接点に設けたスイッチを切り替え制御する、
処理を実行させることを特徴とする受信感度制御プログラム。
【符号の説明】
【０１００】
１００  受信感度制御装置
１０１  ＣＰＵ
１０２  メモリ
１０３  傾き検出部
１０５  金属筐体
１１１  ＳＷテーブル
１１２  ６軸センサ
２００  携帯端末
２０１  筐体
２０２  表示部
２０３  アンテナ
３０１（３０１ａ，３０１ｂ）  回路基板
３０２  電池
３０３（３０３ａ〜３０３ｊ）  ＧＮＤ接点
１４０１  レベル範囲設定表
【図１】
2019029705.tif 000003
【図２】
2019029705.tif 000004
【図３】
2019029705.tif 000005
【図４】
2019029705.tif 000006
【図５】
2019029705.tif 000007
【図６】
2019029705.tif 000008
【図７】
2019029705.tif 000009
【図８】
2019029705.tif 000010
【図９】
2019029705.tif 000011
【図１０】
2019029705.tif 000012
【図１１Ａ】
2019029705.tif 000013
【図１１Ｂ】
2019029705.tif 000014
【図１１Ｃ】
2019029705.tif 000015
【図１２】
2019029705.tif 000016
【図１３】
2019029705.tif 000017
【図１４】
2019029705.tif 000018
【図１５】
2019029705.tif 000019
【図１６Ａ】
2019029705.tif 000020
【図１６Ｂ】
2019029705.tif 000021
【図１７】
2019029705.tif 000022
【図１８】
2019029705.tif 000023
【図１９】
2019029705.tif 000024
【図２０】
2019029705.tif 000025